(57)【要約】【課題】装置内温度が変動した場合でも光偏向器の風切音を減衰すること。【解決手段】このプリンタは、ポリゴンミラー４２を回転させてレーザ光を走査するポリゴンモータ４３と、ポリゴンミラー４２及びポリゴンモータ４３を収容するケース４０と、ケース４０内に配置され、所定の温度Ｔにおける共振周波数がお互いに異なる複数の共鳴器６０と、を含んで構成されるスキャナ部３１を備える。複数の共鳴器６０の共振周波数がお互いに異なることで、共振周波数が１つである構成に比べて、例えばポリゴンモータ４３から発せられた熱によりケース４０内の温度Ｔが変化した場合でも、ポリゴンミラー４２が発する風切音を減衰させることができる。【選択図】図４
2015169726.tif 000002
【特許請求の範囲】
【請求項１】
ミラーの向きを変えて光を走査する光偏向器と、
前記光偏向器を収容する筐体と、
前記筐体の内面に配置され、所定温度における共振周波数がお互いに異なる複数の共鳴型吸音器と、
を備える、光偏向装置。
【請求項２】
請求項１記載の光偏向装置であって、
前記共鳴型吸音器は共鳴室を区画する壁を有し、
前記壁には、前記共鳴室と前記筐体内とを連通する管が設けられている、光偏向装置。
【請求項３】
請求項２記載の光偏向装置であって、
前記複数の共鳴型吸音器は、前記共鳴室の体積が異なる、光偏向装置。
【請求項４】
請求項２または請求項３に記載の光偏向装置であって、
前記複数の共鳴型吸音器は、前記管の断面積が異なる、光偏向装置。
【請求項５】
請求項２から請求項４のいずれか一項に記載の光偏向装置であって、
前記複数の共鳴型吸音器は、前記管の長さが異なる、光偏向装置。
【請求項６】
請求項３から請求項５のいずれか一項に記載の光偏向装置であって、
前記複数の共鳴型吸音器は、前記筐体の一方の内面に、第１方向に並んで配置されているとともに、前記一方の内面の前記第１方向に対して規定角をなす第２方向に並んで配置されている、光偏向装置。
【請求項７】
請求項６記載の光偏向装置であって、
前記光偏向器は、前記一方の内面に対向する前記筐体の他方の内面に配置されている、光偏向装置。
【請求項８】
請求項１記載の光偏向装置であって、
前記複数の共鳴型吸音器は、前記光偏向器から離れるに応じて、前記所定温度における共振周波数が高くなるよう配置されている、光偏向装置。
【請求項９】
請求項８記載の光偏向装置であって、
前記共鳴型吸音器は共鳴室を区画する壁を有し、
前記壁には、前記共鳴室と前記筐体内とを連通する管が設けられており、
前記複数の共鳴型吸音器は、前記光偏向器から離れるに応じて、前記共鳴室の体積が縮小すること、前記管の断面積が増大すること、前記管の長さが縮小すること、の少なくとも１つが生じるように配置されている、光偏向装置。
【請求項１０】
請求項１から請求項９のいずれか一項に記載の光偏向装置であって、
前記光偏向器は、
回転軸周りに複数の反射面が形成された多面鏡と、
前記多面鏡を前記回転軸周りに回転させる駆動部と、
を有する、光偏向装置。
【請求項１１】
請求項１から請求項１０のいずれか一項に記載の光偏向装置であって、
前記筐体は、前記光偏向器が走査した光を当該筐体外部に出射する光通過孔を有する、光偏向装置。
【請求項１２】
ミラーの向きを変えて光を走査する光偏向器と、
前記光偏向器により走査される光により静電潜像が形成される感光体と、
前記感光体に現像剤像を形成する現像装置と、
前記感光体に担持されている現像剤像をシートに転写させる転写装置と、
前記光偏向器を収容する筐体と、
前記筐体の内面に配置され、所定温度における共振周波数がお互いに異なる複数の共鳴型吸音器と、
を備える、画像形成装置。
【請求項１３】
請求項１２記載の画像形成装置であって、
シートを保持するトレイと、
前記光偏向器と前記感光体と前記現像装置とを内蔵し、前記トレイから送り出されるシートを通過させるシート通過孔を有する本体筐体と、を備え、
前記トレイは、その一部が前記シート通過孔から前記本体筐体の外部に露出する、画像形成装置。
【発明の詳細な説明】
【技術分野】
【０００１】
光偏向器により生じる風切音を減衰するための技術に関する。
【背景技術】
【０００２】
従来から、ポリゴンミラーを内蔵する光走査装置がある（特許文献１参照）。この光走査装置は、ポリゴンミラーの回転により生じる風切音を減衰するために、装置内に１つの共鳴型の吸音室が設けられている。
【先行技術文献】
【特許文献】
【０００３】
【特許文献１】実開平３−５２７１５号公報
【発明の概要】
【発明が解決しようとする課題】
【０００４】
ポリゴンミラーなどの光偏向器により生じる風切音の周波数は一定であるが、吸音室で減衰させることができる周波数は、例えば光偏向器の駆動による装置内温度の上昇によって変化する。そのため、光偏向器により生じる風切音の周波数と吸音室で減衰させることができる周波数とが異なる場合には、光偏向器により生じる風切音を十分に減衰することができなかった。
【０００５】
本明細書では、装置内温度が変動した場合でも光偏向器により生じる風切音を減衰することが可能な技術を開示する。
【課題を解決するための手段】
【０００６】
本明細書によって開示される光偏向装置は、ミラーの向きを変えて光を走査する光偏向器と、前記光偏向器を収容する筐体と、前記筐体の内面に配置され、所定温度における共振周波数がお互いに異なる複数の共鳴型吸音器と、を備える。
【０００７】
この光偏向装置は、筐体の内面に複数の共鳴型吸音器を備える。当該複数の共鳴型吸音器は、所定温度における共振周波数がお互いに異なる。これにより、共鳴型吸音器の共振周波数が１つである従来の構成に比べて、例えばミラーの向きを変える駆動による光偏向器の発熱により筐体内の温度が変化し、ある共鳴型吸音器の共振周波数と風切音の周波数が対応しない（離れた）場合でも、他の共鳴型吸音器の共振周波数と風切音の周波数を対応させる（近づける）ことができるので、光偏向器により生じる風切音を筐体内で減衰させることができる。
【０００８】
上記光偏向装置では、前記共鳴型吸音器は共鳴室を区画する壁を有し、前記壁には、前記共鳴室と前記筐体内とを連通する管が設けられていてもよい。この光偏向装置では、共鳴型吸音器が共鳴室と管とを有する、いわゆるヘルムホルツ型吸音器であるため、筐体内部に容易に形成することができる。
【０００９】
上記光偏向装置では、前記複数の共鳴型吸音器は、前記共鳴室の体積が異なっていてもよい。この光偏向装置では、共鳴室の体積を変えることで、共振周波数がお互いに異なる複数の共鳴型吸音器を形成することができる。
【００１０】
上記光偏向装置では、前記複数の共鳴型吸音器は、前記管の断面積が異なっていてもよい。この光偏向装置では、管の断面積を変えることで、共振周波数がお互いに異なる複数の共鳴型吸音器を形成することができる。
【００１１】
上記光偏向装置では、前記複数の共鳴型吸音器は、前記管の長さが異なっていてもよい。この光偏向装置では、管の長さを変えることで、共振周波数がお互いに異なる複数の共鳴型吸音器を形成することができる。
【００１２】
上記光偏向装置では、前記複数の共鳴型吸音器は、前記筐体の一方の内面に、第１方向に並んで配置されているとともに、前記一方の内面の前記第１方向に対して規定角をなす第２方向に並んで配置されていてもよい。
【００１３】
この光偏向装置では、複数の共鳴型吸音器が筐体の一方の内面のお互いに異なる方向に並んで、つまり二次元状に配置されている。これにより、一次元状に配置されている場合に比べて、光偏向器により生じる風切音を筐体内で減衰することができる。
【００１４】
上記光偏向装置では、前記光偏向器は、前記一方の内面に対向する前記筐体の他方の内面に配置されていてもよい。この光偏向装置では、複数の共鳴型吸音器は光偏向器が配置された筐体の内面と対向する内面に配置される。これにより、複数の共鳴型吸音器を用いて光偏向器により生じる風切音を筐体内で減衰しやすく、また、複数の共鳴型吸音器を任意の自由度で配置することができる。
【００１５】
上記光偏向装置では、前記複数の共鳴型吸音器は、前記光偏向器から離れるに応じて、前記所定温度における共振周波数が高くなるよう配置されていてもよい。光偏向器はミラーの向きを変える駆動により発熱する一種の熱源であり、筐体内には光偏向器に近づくほど高く、光偏向器から離れるほど低い温度分布が生じる。この光偏向装置では、複数の共鳴型吸音器を、光偏向器から離れるに応じて所定温度における共振周波数が高くなるように配置する。これにより、筐体内の温度分布に対応させて光偏向器により生じる風切音を筐体内で減衰することができる。
【００１６】
上記光偏向装置では、前記共鳴型吸音器は共鳴室を区画する壁を有し、前記壁には、前記共鳴室と前記筐体内とを連通する管が設けられており、前記複数の共鳴型吸音器は、前記光偏向器から離れるに応じて、前記共鳴室の体積が縮小すること、前記管の断面積が増大すること、前記管の長さが縮小すること、の少なくとも１つが生じるように配置されていてもよい。
【００１７】
この光偏向装置では、共鳴室の体積、管の断面積、管の長さ、の少なくとも１つを上記のように異ならせて複数の共鳴型吸音器を配置する。これにより、光偏向器から離れるに応じて所定温度における共振周波数が高くなるように配置することができ、筐体内の温度分布に対応させて光偏向器により生じる風切音を筐体内で減衰することができる。
【００１８】
上記光偏向装置では、前記光偏向器は、回転軸周りに複数の反射面が形成された多面鏡と、前記多面鏡を前記回転軸周りに回転させる駆動部と、を有していてもよい。この光偏向装置では、光偏向器は回転軸回りに回転する多面鏡、いわゆるポリゴンミラーを有することから、ポリゴンミラーの形状やポリゴンミラーの回転速度等に応じた特定周波数成分が顕著に大きい風切音を生じさせる。そのため、共鳴型吸音器を用いて風切音を減衰しやすい。
【００１９】
上記光偏向装置では、前記筐体は、前記光偏向器が走査した光を当該筐体外部に出射する光通過孔を有していてもよい。光偏向器を収容する筐体に光通過孔が設けられていると、光偏向器により生じる風切音が光偏向装置外に漏れ出る。この光偏向装置では、所定温度における共振周波数がお互いに異なる複数の共鳴型吸音器を有するので、装置内温度が変動した場合でも光偏向器により生じる風切音を筐体内で減衰させることができ、筐体の光通過孔から漏れ出る風切音を低減することができる。
【００２０】
本明細書は、画像形成装置も開示する。本明細書によって開示される画像形成装置は、ミラーの向きを変えて光を走査する光偏向器と、前記光偏向器により走査される光により静電潜像が形成される感光体と、前記感光体に現像剤像を形成する現像装置と、前記感光体に担持されている現像剤像をシートに転写させる転写装置と、前記光偏向器を収容する筐体と、前記筐体の内面に配置され、所定温度における共振周波数がお互いに異なる複数の共鳴型吸音器と、を備える。
【００２１】
この画像形成装置によれば、装置内温度が変動した場合でも光偏向器により生じる風切音を筐体内で減衰することができる。
【００２２】
上記画像形成装置では、シートを保持するトレイと、前記光偏向器と前記感光体と前記現像装置とを内蔵し、前記トレイから送り出されるシートを通過させるシート通過孔を有する本体筐体と、を備え、前記トレイは、その一部が前記シート通過孔から前記本体筐体の外部に露出していてもよい。
【００２３】
本体筐体にシート通過孔が設けられており、当該シート通過孔に連通するトレイの一部がシート通過孔から本体筐体の外側に露出して配置されていると、シート通過孔及びトレイの露出部分を介して光偏向装置から生じる風切音が画像形成装置外に漏れ出る。この画像形成装置では、光偏向装置に所定温度における共振周波数がお互いに異なる複数の共鳴型吸音器を有するので、装置内温度が変動した場合でも光偏向器により生じる風切音を筐体内で減衰させることができ、画像形成装置外に漏れ出る風切音を低減することができる。
【発明の効果】
【００２４】
本明細書によって開示される発明によれば、光偏向装置内の温度が変動した場合であっても、光偏向器により生じる風切音を光偏向装置の筐体内で減衰させることが可能である。
【図面の簡単な説明】
【００２５】
【図１】プリンタの機械的構成を示す概要図
【図２】プリンタの電気的構成を示すブロック図
【図３】スキャナ部の概略的な上面図
【図４】スキャナ部の概略的な断面図
【図５】ケース上面の共鳴室の配置を示す概略図
【発明を実施するための形態】
【００２６】
一実施形態のプリンタ１について図１から図５を参照しつつ説明する。プリンタ１は、例えば黒色（ブラック）を用いて画像を形成するモノクロレーザプリンタである。プリンタ１は、画像形成装置の一例である。なお、以下の説明では、図１の紙面右側をプリンタ１の前側Ｆとし、紙面奥側をプリンタ１の右側Ｒとし、紙面上側をプリンタ１の上側Ｕとする。
【００２７】
プリンタ１は、本体ケース２内に、シート供給部３、画像形成部５、および、排出ローラ６が内蔵されている。本体ケース２は、本体筐体の一例である。
【００２８】
シート供給部３は、供給トレイ１１、送出ローラ１２、レジストレーションローラ１３、および、シートセンサ１４を有する。供給トレイ１１は、本体ケース２の一部をなすトレイ板２Ａによって構成される。トレイ板２Ａは、本体ケース２の他の部分に対してヒンジ２Ｃを中心に回動可能に構成されており、図１に実線で示す閉状態から、図１に一点鎖線で示す開状態に回動することで、シートＷを保持するための供給トレイ１１が構成される。
【００２９】
本体ケース２の供給トレイ１１の上部には、シート通過孔２Ｂが構成される。シート通過孔２Ｂは、供給トレイ１１にシートＷを載置する際に用いられる。また、本実施形態では、供給トレイ１１の一部がシート通過孔２Ｂから本体ケース２の外側に露出して構成されていることから、供給トレイ１１に保持されたシートＷは、本体ケース２内の画像形成部５に送出される際に、その後端部分がシート通過孔２Ｂを通過する。
【００３０】
送出ローラ１２は、供給トレイ１１に保持された複数のシートＷを１枚ずつ搬送経路Ｈに沿ってレジストレーションローラ１３へ送出する。レジストレーションローラ１３は、送出されたシートＷを斜行補正し、次述する画像形成部５へと搬送させる。シートセンサ１４は、レジストレーションローラ１３と画像形成部５との間に検出領域を有し、当該検出領域内におけるシートＷの有無に応じた検出信号を出力する。なお、このシートセンサ１４によるシートＷの先端の検出タイミングに基づいて、シートＷに対する画像の形成タイミングが決定される。
【００３１】
画像形成部５は、スキャナ部３１、プロセス部３２、定着部３３などを備える。スキャナ部３１は、光偏向装置の一例である。
【００３２】
スキャナ部３１は、画像データに基づいたレーザ光Ｐを、感光ドラム５２の表面に照射して露光する。具体的には、スキャナ部３１は、箱形のケース４０内に、光源４１（図３参照）、ポリゴンミラー４２、ポリゴンモータ４３、光学系４４（図３参照）等が収容されて構成されている。ケース４０は、筐体の一例である。
【００３３】
図３に示すように、光源４１は、ポリゴンミラー４２にレーザ光Ｐを照射する。ポリゴンミラー４２は、複数の反射面を有する回転多面鏡であり、上下方向に沿った軸４２Ａを中心に回転可能に設けられている。以下、反射面は６つであるものとする。ポリゴンモータ４３は、矢印７０に示すようにポリゴンミラー４２を一定の周波数Ｆ０（１秒間の回転数）で回転駆動させる。ポリゴンミラー４２は、多面鏡の一例であり、ポリゴンモータ４３は、駆動部の一例であり、ポリゴンミラー４２とポリゴンモータ４３とをあわせたものが光偏向器の一例である。
【００３４】
ポリゴンミラー４２は、光源４１から照射されたレーザ光Ｐを一反射面により反射させる。ポリゴンミラー４２は、また、ポリゴンミラー４２の回転駆動により反射面の向きを変えることで、反射されたレーザ光Ｐを一定周期で走査方向Ｄ３（図３参照）に走査する。光学系４４は、ポリゴンミラー４２で反射されたレーザ光Ｐを、感光ドラム５２に導く。具体的には、光学系４４は、ポリゴンミラー４２によって等角速度で偏向されるレーザ光Ｐを、感光ドラム５２上に等線速度で走査し、結像するｆθ走査レンズである。これにより、スキャナ部３１は、光源４１から照射されたレーザ光Ｐを、ケース４０に設けられた貫通孔である光通過孔４０Ａを通過させ、感光ドラム５２上に照射させる。
【００３５】
本実施形態では、レーザ光Ｐの減衰を抑制するために、ケース４０の光通過孔４０Ａが保護ガラス等で塞がれていない。
【００３６】
プロセス部３２は、現像ローラ５１、感光ドラム５２、帯電部５３、および、転写ローラ５４を有する。現像ローラ５１は、ブラックのトナーを感光ドラム５２上に供給する。
【００３７】
感光ドラム５２の表面は、帯電部５３により帯電され、その帯電された部分がスキャナ部３１によるレーザ光Ｐの走査により露光されることにより静電潜像が形成される。そして、その静電潜像に現像ローラ５１からトナーが供給されることで、感光ドラム５２上にブラックのトナー像が形成される。トナー像は、現像剤像の一例であり、現像ローラ５１は、現像装置の一例である。また、感光ドラム５２は、感光体の一例である。
【００３８】
感光ドラム５２上に担持されたトナー像は、転写ローラ５４の静電気力により、シート供給部３により搬送されるシートＷ上に転写される。これにより、シートＷに画像が形成される。転写ローラ５４は、転写装置の一例である。
【００３９】
定着部３３は、シートＷ上に転写されたトナー像を熱定着させる。定着部３３を通過したシートＷは、排出ローラ６により排出トレイ１５上に排出される。
【００４０】
図２に示すように、プリンタ１は、上述したシート供給部３、画像形成部５に加え、中央演算処理装置（以下、ＣＰＵ）７１、ＲＯＭ７２、ＲＡＭ７３、不揮発性メモリ７４、ＡＳＩＣ（Application Specific Integrated Circuit）７５、表示部７６、操作部７７、ネットワークインターフェース７８を有する。
【００４１】
ＲＯＭ７２には、各種のプログラムが記憶されており、各種のプログラムには、例えば、シート供給部３の各種ローラ、画像形成部５のポリゴンモータ４３を制御するためのプログラムが含まれる。ＲＡＭ７３や不揮発性メモリ７４は、ＣＰＵ７１が各種のプログラムを実行する際の作業領域や、データの一時的な記憶領域として利用される。不揮発性メモリ７４は、ＮＶＲＡＭ、フラッシュメモリ、ＨＤＤ、ＥＥＰＲＯＭなどの書き換え可能なメモリであればよい。
【００４２】
ＣＰＵ７１は、ＲＯＭ７２やＲＡＭ７３等と接続されており、ＲＯＭ７２から読み出したプログラムに従って、また、必要に応じてＡＳＩＣ７５等のハード回路を用いて、プリンタ１の各部を制御する。表示部７６は、液晶ディスプレイやランプ等を有し、各種の設定画面や装置の動作状態等を表示することが可能である。操作部７７は、複数のボタンを有し、ユーザによる各種の入力指示を受け付け可能である。ネットワークインターフェース７８は、無線通信方式または有線通信方式により、図示しない外部装置と通信を行うためのインターフェースである。
【００４３】
次に、図４から図５を参照して、スキャナ部３１の構成を詳細に説明する。
図４に示すように、スキャナ部３１のポリゴンミラー４２、ポリゴンモータ４３等の構成は、ケース４０の下面４０Ｂに配置されている。その一方、ケース４０の上面４０Ｃには、複数のヘルムホルツ共鳴器（以下、単に共鳴器）６０が設けられている（図１参照）。共鳴器６０は、共鳴型吸音器の一例である。
【００４４】
ポリゴンミラー４２は、周波数Ｆ０の回転駆動により、一定の周波数Ｆ１の周波数成分（以下、この周波数を特定周波数と呼ぶ）が顕著に大きい風切音を発する。共鳴器６０は、ポリゴンミラー４２が発する風切音を減衰する役割を有し、これによって、ケース４０の光通過孔４０Ａ、及び、本体ケース２のシート通過孔２Ｂを通って本体ケース２の外部に伝わる風切音を低減する。特定周波数Ｆ１は、周波数Ｆ０、及び、ポリゴンミラー４２の反射面の数Ｎを用いて、式１のように示される。なお、特定周波数Ｆ１は、ケース４０内の温度Ｔによらず、一定の周波数である。
Ｆ１＝Ｆ０×Ｎ  ［Ｈｚ］  式１
【００４５】
ケース４０の上面４０Ｃ内には、複数の共鳴器６０に対応する複数の共鳴室６２が設けられている。共鳴室６２は、ケース４０の上側外壁４０Ｄと、上側外壁４０Ｄから下向きに延びる垂直壁４０Ｅと、当該垂直壁４０Ｅに固定された内壁部材６１によって区画される。内壁部材６１は、ケース４０とは別部材で形成されている。各共鳴室６２は、内壁部材６１に設けられた管６３によって共鳴室６２以外のケース４０内と連通している。共鳴器６０は、共鳴室６２と管６３によって構成される。上側外壁４０Ｄ、垂直壁４０Ｅ、及び、内壁部材６１は、壁の一例である。
【００４６】
図５はケース４０の上面４０Ｃを下面４０Ｂ側から見た図である。内壁部材６１は図示を省略する。図５に示すように、複数の共鳴室６２は、上面４０Ｃ内の長辺方向Ｄ１に並んで配置されているとともに、長辺方向Ｄ１と直交する短辺方向Ｄ２に並んで配置されている。つまり、ケース４０の上面４０Ｃにおいて、複数の共鳴器６０が二次元状に配置されている。
【００４７】
そして、ケース４０の上面４０Ｃ内には、体積Ｖがお互いに異なる複数の共鳴室６２が設けられている。図５に示すように、これらの共鳴室６２では、短辺方向Ｄ２の幅を等しく保ちつつ、長辺方向Ｄ１の幅をお互いに異ならせることで、体積Ｖをお互いに異ならせている。なお、本実施形態では、図４に示すように複数の共鳴器６０に対応する複数の管６３が同形状、つまり、管６３の断面積Ｓが同一であり、かつ、管６３の長さＬが同一に設けられている。ここで管６３の長さＬとは、管６３の共鳴室６２との境界から、共鳴室６２以外のケース４０内との境界までの長さを意味し、具体的には内壁部材６１の厚みを意味する。
【００４８】
そのため、ケース４０の上面４０Ｃには、所定の温度Ｔにおける共振周波数Ｆ（Ｔ、Ｖ）がお互いに異なる複数の共鳴器６０が設けられる。共鳴器６０の共振周波数Ｆ（Ｔ、Ｖ）は、体積Ｖ、断面積Ｓ、長さＬ、音速Ｃ、及び、管端補正δを用いて、式２のように示される。
Ｆ（Ｔ、Ｖ）＝（Ｃ（Ｔ）／２π）×√（Ｓ／（Ｖ×（Ｌ＋δ）））  ［Ｈｚ］  式２
Ｃ（Ｔ）＝３３１．５＋０．６１Ｔ  ［ｍ／ｓ］
【００４９】
具体的には、ケース４０の上面４０Ｃには、長辺方向Ｄ１にポリゴンモータ４３（図５点線参照）から離れるに応じて、所定の温度Ｔにおける共振周波数Ｆ（Ｔ、Ｖ）が高くなるように配置されている（式３参照）。つまり、図４、５に示すように、ケース４０の上面４０Ｃには、長辺方向Ｄ１にポリゴンモータ４３から離れるに応じて、Ｖ０、Ｖ１、Ｖ２の順に体積Ｖが小さくなるように配置されている。なお、体積Ｖ０は、ポリゴンモータ４３の近傍部分に配置された共鳴室６２の体積を意味し、体積Ｖ２は、ケース４０の長辺方向Ｄ１における外周部分に配置された共鳴室６２の体積を意味する。
Ｖ０＞Ｖ１＞Ｖ２，
Ｆ（Ｔ、Ｖ０）＜Ｆ（Ｔ、Ｖ１）＜Ｆ（Ｔ、Ｖ２）  式３
【００５０】
ここで、Ｖ０、Ｖ１、Ｖ２は以下のように定められる。
ポリゴンモータ４３は、回転駆動に伴うエネルギー損失等により熱を発する。そして、その熱によって、ケース４０内の温度分布が変化し、ケース４０内には、ポリゴンモータ４３から離れるに応じて、Ｔ０、Ｔ１、Ｔ２の順に温度Ｔが低くなる温度分布を生じる。なお、温度Ｔ０は、ポリゴンモータ４３の近傍部分における温度を意味し、例えば室温よりも高い約５０℃である。温度Ｔ２は、ケース４０の長辺方向Ｄ１における外周部分における温度を意味し、例えば室温に相当する約２５℃である。
【００５１】
そして、Ｖ０、Ｖ１、Ｖ２は、式４に示すように、上記の温度分布が生じた場合に、全ての共鳴器６０の共振周波数Ｆ（Ｔ、Ｖ）が、ポリゴンミラー４２が発する風切音の特定周波数Ｆ１と等しくなるように設定されている。
Ｔ０＞Ｔ１＞Ｔ２，
Ｖ０＞Ｖ１＞Ｖ２，
Ｆ（Ｔ０、Ｖ０）＝Ｆ（Ｔ１、Ｖ１）＝Ｆ（Ｔ２、Ｖ２）＝Ｆ１  ［Ｈｚ］  式４
【００５２】
上述した本実施形態では、スキャナ部３１は、ケース４０の上面４０Ｃに複数の共鳴器６０を備える。当該複数の共鳴器６０は、所定の温度Ｔにおける共振周波数Ｆ（Ｔ、Ｖ）がお互いに異なる。これにより、共鳴器６０の共振周波数Ｆ（Ｔ、Ｖ）が１つである従来の構成に比べて、例えばポリゴンモータ４３から発せられた熱によりケース４０内の温度Ｔが変化した場合でも、ポリゴンミラー４２が発する風切音をケース４０内で減衰させることができるため、ケース４０の外部に伝わる風切音を低減することができる。
【００５３】
具体的には、例えばポリゴンモータ４３の回転駆動の開始時において、ケース４０内の温度ＴがＴ２であった場合には、共鳴室６２の体積ＶがＶ２である共鳴器６０の共振周波数Ｆ（Ｔ２、Ｖ２）がポリゴンモータ４３の特定周波数Ｆ１と一致する。そのため、ポリゴンミラー４２が発する風切音をケース４０内で減衰させることができる。
【００５４】
また、ポリゴンモータ４３の回転駆動により、ケース４０内の温度ＴがＴ１となった場合には、共鳴室６２の体積ＶがＶ２である共鳴器６０の共振周波数Ｆ（Ｔ１、Ｖ２）はポリゴンモータ４３の特定周波数Ｆ１と離れる一方、共鳴室６２の体積ＶがＶ１である共鳴器６０の共振周波数Ｆ（Ｔ１、Ｖ１）はポリゴンモータ４３の特定周波数Ｆ１と一致する。そのため、ポリゴンミラー４２が発する風切音をケース４０内で減衰させることができる。
【００５５】
これによって、ケース４０内の温度Ｔが変化した場合でも、ケース４０の光通過孔４０Ａを通ってケース４０の外部に伝わる風切音を低減することができる。また、本体ケース２のシート通過孔２Ｂを通って本体ケース２の外部に伝わる風切音を低減することができる。
【００５６】
上述した本実施形態では、ケース４０の上面４０Ｃに複数のヘルムホルツ型の共鳴器６０が二次元状に配置されている。共鳴器６０が、ポリゴンモータ４３等が配置されたケース４０の下面４０Ｂに対向するケース４０の上面４０Ｃに配置されることで、ポリゴンミラー４２が発する風切音をケース４０内で減衰させやすい。
【００５７】
また、ヘルムホルツ共鳴器６０は、共鳴室６２と管６３によって構成することができることから、ケース４０の上面４０Ｃに形成しやすく、二次元状に配置しやすい。そして、二次元状に配置することで、一次元状に配置されている場合に比べて、ポリゴンミラー４２が発する風切音を効率よく減衰させることができる。
【００５８】
上述した本実施形態では、複数の共鳴器６０は、共鳴室６２の体積Ｖをお互いに異ならせることで、所定の温度Ｔにおける共振周波数Ｆ（Ｔ、Ｖ）がお互いに異なる共鳴器６０を実現している。具体的には、複数の共鳴器６０は、ポリゴンモータ４３から離れるに応じて共鳴室６２の体積Ｖが小さくなるように配置され、これによって、ポリゴンモータ４３から離れるに応じて所定の温度Ｔにおける共振周波数Ｆ（Ｔ、Ｖ）が高くなるように配置されている。これにより、例えばポリゴンモータ４３から発せられた熱によりケース４０内に温度分布が生じた場合でも、この温度分布に対応させてポリゴンミラー４２が発する風切音をケース４０内で減衰させることができる。
【００５９】
具体的には、例えばポリゴンモータ４３の回転駆動によりケース４０内に温度分布が生じ、ポリゴンモータ４３の近傍部分の温度Ｔ０に比べてケース４０の外周部分における温度Ｔ２が低くなる。上述した本実施形態では、この温度差を用いて、全ての共鳴器６０の共振周波数Ｆ（Ｔ、Ｖ）をポリゴンミラー４２が発する風切音の特定周波数Ｆ１と等しくなるようにする（式４参照）。
【００６０】
そのため、一定の温度Ｔにおいて全ての共鳴器６０の共振周波数Ｆ（Ｔ、Ｖ）をポリゴンミラー４２が発する風切音の特定周波数Ｆ１と等しくなるように設定してある場合に比べて、温度分布が生じるという実際の使用状態に合わせてポリゴンミラー４２が発する風切音をケース４０内で減衰させることができる。
【００６１】
本明細書で開示される技術は上記記述及び図面によって説明した実施形態に限定されるものではなく、例えば次のような種々の態様も含まれる。
【００６２】
「光偏向器」は、ポリゴンモータ４３でポリゴンミラー４２を回転させる構成のみならず、一例としてガルバノミラーのように往復振動モータで１つの反射面を有する単面鏡を振動させる構成でもよい。
【００６３】
「画像形成装置」は、モノクロ専用の画像形成装置のみならず、カラーの画像形成装置でもよい。
【００６４】
上記実施形態では、複数の共鳴器６０の所定の温度Ｔにおける共振周波数Ｆ（Ｔ、Ｖ）を異ならせる際に、共鳴室６２の体積Ｖを異ならせる例を示したが、これに限られない。例えば、共鳴室６２の体積Ｖを一定にして、管６３の断面積Ｓを異ならせてもよい。
【００６５】
具体的には、ポリゴンモータ４３から離れるに応じて、Ｓ０、Ｓ１、Ｓ２の順に断面積Ｓが大きくなるように配置されてもよい。Ｓ０、Ｓ１、Ｓ２は、式５に示すように、ケース４０内の温度分布が生じた場合に、全ての共鳴器６０の共振周波数Ｆ（Ｔ、Ｓ）が、ポリゴンミラー４２が発する風切音の特定周波数Ｆ１と等しくなるように設定することができる。
Ｔ０＞Ｔ１＞Ｔ２，
Ｓ０＜Ｓ１＜Ｓ２，
Ｆ（Ｔ０、Ｓ０）＝Ｆ（Ｔ１、Ｓ１）＝Ｆ（Ｔ２、Ｓ２）＝Ｆ１  ［Ｈｚ］      式５
【００６６】
また、例えば、共鳴室６２の体積Ｖを一定にして、管６３の長さＬを異ならせてもよい。
【００６７】
具体的には、ポリゴンモータ４３から離れるに応じて、Ｌ０、Ｌ１、Ｌ２の順に長さＬが小さくなるように配置されてもよい。Ｌ０、Ｌ１、Ｌ２は、式６に示すように、ケース４０内の温度分布が生じた場合に、全ての共鳴器６０の共振周波数Ｆ（Ｔ、Ｌ）が、ポリゴンミラー４２が発する風切音の特定周波数Ｆ１と等しくなるように設定することができる。
Ｔ０＞Ｔ１＞Ｔ２，
Ｌ０＞Ｌ１＞Ｌ２，
Ｆ（Ｔ０、Ｌ０）＝Ｆ（Ｔ１、Ｌ１）＝Ｆ（Ｔ２、Ｌ２）＝Ｆ１  ［Ｈｚ］      式６
【００６８】
上記実施形態では、複数の共鳴器６０は、ケース４０の上面４０Ｃに配置される例を示したが、これに限られず、例えばケース４０の下面４０Ｂや側面に配置されてもよい。
【００６９】
上記実施形態では、複数の共鳴器６０は、ケース４０の上面４０Ｃに二次元状に配置されている例を示したが、これに限られず、例えば一次元状に配置されてもよい。
【００７０】
上記実施形態では、ケース４０の光通過孔４０Ａが保護ガラス等で塞がれていない例を示したが、これに限られず、ケース４０の光通過孔４０Ａが保護ガラス等で塞がれていてもよい。これにより、ケース４０内に埃や紙粉等が入り込むことを抑制することができる。
【符号の説明】
【００７１】
２Ａ：トレイ板、２Ｂ：シート通過孔、１１：供給トレイ、３１：スキャナ部、４０：ケース、４０Ａ：光通過孔、４０Ｂ：下面、４０Ｃ：上面、４０Ｄ：上側外壁、４０Ｅ：垂直壁、４２：ポリゴンミラー、４３：ポリゴンモータ、６０：共鳴器、６１：内壁部材、６２：共鳴室、６３：管、Ｄ１：長辺方向、Ｄ２：短辺方向、Ｄ３：走査方向、Ｌ：長さ、Ｓ：断面積、Ｔ：温度、Ｖ：体積、Ｗ：シート
【図１】
2015169726.tif 000003
【図２】
2015169726.tif 000004
【図３】
2015169726.tif 000005
【図４】
2015169726.tif 000006
【図５】
2015169726.tif 000007